(57)【要約】【課題】重ね合わせ面を剥離しても直ちには隠蔽情報を視認できない隠蔽葉書を提供する。【課題の解決手段】隠蔽葉書は、二枚の紙片２，３を、一定以上の圧を加えると接着し接着後に剥離可能な感圧性接着剤１２を介して、剥離可能に接着してなるもので、重ね合わせ面には他人には知られたくない隠蔽情報５を表示するとともに、この隠蔽情報５をスクラッチインキ層６で被覆してあり、感圧性接着剤１２による接着は、折り用ミシン目４で重ね合わせ面を折り重ね、所定の圧を加えて行うものである。【選択図】　　図３
2004122419.tif 000002
【特許請求の範囲】
【請求項１】
複数枚の紙片を剥離可能に接着し、重ね合わせ面には隠蔽情報を表示してなる隠蔽葉書であって、重ね合わせ面の一面に表示した隠蔽情報をスクラッチインキ層で被覆したうえ、重ね合わせ面を剥離可能に接着してなることを特徴とする隠蔽葉書。
【請求項２】
複数枚の紙片を剥離可能に接着し、重ね合わせ面には隠蔽情報を表示してなる隠蔽葉書であって、重ね合わせ面の一面に表示した隠蔽情報をスクラッチインキ層で被覆し、重ね合わせ面の他面にはこのスクラッチインキ層と対接する部分にスクラッチインキの転写を防ぐための転写防止層を設けたうえ、重ね合わせ面を剥離可能に接着してなることを特徴とする隠蔽葉書。
【発明の詳細な説明】
【０００１】
【発明の属する技術分野】
本発明は、他人には知られたくない隠蔽情報を隠蔽した状態で伝達するための隠蔽葉書に関し、特にスクラッチインキの印刷により隠蔽性を高めた隠蔽葉書に関する。
【０００２】
【従来の技術】
従来からこの種隠蔽情報所持体は多くの構成が知られているが、二枚あるいは三枚の紙片の重ね合わせ面を剥離することにより、重ね合わせ面に表示していた隠蔽情報を視認可能にするよう構成するのが一般的である。折り用ミシン目を介して連接した二枚あるいは三枚の紙片を折り重ね、または、別体の二枚あるいは三枚の紙片を重ね合わせる構成があり、さらに、重ね合わせ面を形成する一方の紙片が隠蔽情報を表示する情報表示片で、他方がこれを隠蔽する隠蔽片の場合と、双方が情報表示片と隠蔽片を兼ねる場合があるが、どのような構成であっても、重ね合わせ面を剥離すると、隠蔽されていた隠蔽情報は視認可能となるものである（例えば、特許文献１，２，３参照）。
【０００３】
【特許文献１】
特許第２８８３９８４号公報（図８）
【特許文献２】
実用新案登録第２５９４９９６号公報（図４，図８）
【特許文献３】
特開平３−１０４６９７号公報（図１〜図５）
【０００４】
【発明が解決しようとする課題】
従来においては、重ね合わせ面を剥離すると直ちに、隠蔽されていた隠蔽情報が視認可能となるので、場合によっては、重ね合わせ面を剥離した時に、隠蔽情報を他人に見られてしまうという不都合があった。本発明はこの不都合を解消した隠蔽葉書を提供することを目的とする。
【０００５】
【課題を解決するための手段】
この目的を達成するため、本発明の請求項１に係る隠蔽葉書は、複数枚、例えば二枚の紙片を剥離可能に接着し、重ね合わせ面には隠蔽情報を表示してなる隠蔽葉書であって、重ね合わせ面の一面に表示した隠蔽情報をスクラッチインキ層で被覆したうえ、重ね合わせ面を剥離可能に接着してなるものである。
【０００６】
同じく上記目的を達成するために、本発明の請求項２に係る隠蔽葉書は、複数枚、例えば二枚の紙片を、剥離可能に接着し、重ね合わせ面には隠蔽情報を表示してなる隠蔽葉書であって、重ね合わせ面の一面に表示した隠蔽情報をスクラッチインキ層で被覆し、重ね合わせ面の他面にはこのスクラッチインキ層と対接する部分にスクラッチインキが転写することを防ぐための、例えば剥離剤層からなる転写防止層を設けたうえ、重ね合わせ面を剥離可能に接着してなるものである。
【０００７】
【発明の実施の形態】
以下、本発明を隠蔽葉書に適用した実施形態を添付図面に基づいて詳細に説明する。ここにおいて、図１は葉書形成前のシート状態における重ね合わせ面側を示す平面図、図２は同じく表出面側を示す平面図、図３は図１のＡ−Ａ線断面図、図４は隠蔽葉書を示す斜視図、図５は重ね合わせ面を剥離してスクラッチインキを削り取った状態を示す平面図である。
【０００８】
図１〜図３に示すように、隠蔽葉書用シート１は、上紙片２と下紙片３を折り用ミシン目４を介して連接してなる。図１、図３及び図５に示すように、上紙片２の重ね合わせ面には、「ローン残高通知」という表題とともに隠蔽情報たるローン残高情報５を表示し、スクラッチインキを印刷してなるスクラッチインキ層６で被覆隠蔽している。また、下紙片３の重ね合わせ面には、前記スクラッチインキ層６と対接する部分に剥離剤層７を設けるとともに、適宜な伝達情報８を表示している。さらに、前記上紙片２のスクラッチインキ層６の下方には、スクラッチインキを削り取ってローン残高の確認をする旨の案内情報９を表示している。図２に示すように、上紙片２の表出面には宛名情報１０を表示し、下紙片３の表出面には差出人情報１１を表示している。
【０００９】
図３に示すように、隠蔽葉書用シート１の重ね合わせ面には、通常では接着せず所定の圧を加えると接着可能となり、接着後に剥離可能で、印字、印刷が可能な感圧性接着剤１２を全面的に塗布し、この塗布面に上述のローン残高情報５，スクラッチインキ層６、剥離剤層７及び各情報８，９を設けているものである。この感圧性接着剤１２としては、印字、印刷が可能で一端接着すると剥離困難な非剥離性接着剤基剤に、この接着剤基剤に対して非親和性を示す微粒状充てん剤を配合してものが好適である。
【００１０】
上述の接着剤基剤としては、公知の感圧性接着剤を用いればよいが、特に挙げれば、天然ゴムにスチレンとメタクリル酸メチルとをグラフト共重合させて得られた天然ゴムラテックスが、耐ブロッキング性、耐熱性、耐摩耗性等の点で好適である。一方、上述の微粒状充てん剤としては、前記接着剤基剤との親和性が小さいもの、例えば、酸化亜鉛、酸化チタン、炭酸カルシュウム、カオリン、活性白土、球状アルミナ、小麦デンプン、シリカ、ガラス粉末、シラスバルーン等がある。これらの材料は、単独でも、複数組み合わせてもよいが、特に、シリカと他の適宜な充てん剤との組み合わせが好適である。
【００１１】
そして、隠蔽葉書用シート１を折り用ミシン目４で重ね合わせ面同士を対接するように二つ折りし、感圧性接着剤１２の接着条件である所定の圧を加えることで、図４に示すように、重ね合わせ面を剥離可能に接着した隠蔽葉書１３を得ることができる。この状態で、スクラッチインキ層６に被覆されているローン残高情報５はむろんのこと、伝達情報８及び案内情報９も外部からは視認できない隠蔽状態となり、隠蔽葉書１３は、通常の葉書と同様に投函可能となる。
【００１２】
ここで、剥離剤層７を設けたことにより、スクラッチインキ層６のスクラッチインキが、対接する下紙片３の感圧性接着剤１２を設けた重ね合わせ面に、加圧時及びその後の時間的経過にともなって転写することを確実に防止する。
【００１３】
一方、この隠蔽葉書１３を受領した宛名人は、上紙片２と下紙片３を相対的に離反すると、重ね合わせ面が剥離し、重ね合わせ面に表示されていた伝達情報８及び案内情報９が露出する一方、ローン残高情報５はスクラッチインキ層６に被覆されて視認不能な状態にある（図１参照）。ここで、スクラッチインキ層６を削り取ると、図５に示すように、ローン残高情報５が露出して、これを視認することができる。
【００１４】
なお、本発明は、上述した実施形態に限定されるものではなく、例えば、上紙片２と下紙片３との重ね合わせ面の剥離可能な接着は、感圧性接着剤１２を利用するものに限らない。そして、重ね合わせ面を剥離可能に接着する接着構造によっては、スクラッチインキ層６の転写の虞がなければ、剥離剤層７を設けなくてもよいものである。また、伝達情報８は一般的な伝達情報のほか、秘匿性を有する情報であってもよいが、秘匿性が高い隠蔽情報の場合は、スクラッチインキ層で被覆するとよい。この場合には、二つのスクラッチインキ層同士が対接しないように、隠蔽情報をずらして表示する必要がある。さらに、隠蔽葉書１３は、二枚の別体の紙片を重ね合わせて構成したり、三枚の紙片を折り重ね、あるいは三枚の別体の紙片を重ね合わせて構成してもよいものである。
【００１５】
【発明の効果】
以上説明したところで明らかなように、本願の請求項１に係る発明によれば、剥離可能な重ね合わせ面に表示した隠蔽情報をスクラッチインキ層で被覆したので、隠蔽葉書の重ね合わせ面を剥離しても、直ちには隠蔽情報は視認可能とはならないので隠蔽性をより向上でき、また、スクラッチインキ層の存在で、隠蔽葉書の重ね合わせ面に表示した隠蔽情報を外部から透かして視認される虞もないという効果を奏する。
【００１６】
また、本願の請求項２に係る発明によれば、上記請求項１に係る発明の効果に加えて、スクラッチインキ層のスクラッチインキが対接している重ね合わせ面に転写することを確実に防止できるという効果を奏する。
【図面の簡単な説明】
【図１】葉書形成前のシート状態における重ね合わせ面側を示す平面図。
【図２】同じく表出面側を示す平面図。
【図３】図１のＡ−Ａ線断面図。
【図４】隠蔽葉書を示す斜視図。
【図５】重ね合わせ面を剥離してスクラッチインキ層を削り取った状態を示す平面図。
【符号の説明】
１　　　隠蔽葉書用シート
２　　　上紙片
３　　　下紙片
４　　　折り用ミシン目
５　　　ローン残高情報
６　　　スクラッチインキ層
７　　　剥離剤層
１２　　　感圧性接着剤
１３　　　隠蔽葉書
【図１】
2004122419.tif 000003
【図２】
2004122419.tif 000004
【図３】
2004122419.tif 000005
【図４】
2004122419.tif 000006
【図５】
2004122419.tif 000007